(57)【要約】【課題】  ユーザに理解しやすい表示を可能とし、結果として検索時間を短縮する。【解決手段】  ＤＣＦ準拠のディレクトリ名（第１のディレクトリ名）に対して、これに準拠しないディレクトリ名（第２のディレクトリ名）を入力し、ＤＣＦ準拠の画像ファイル名（第１の画像ファイル名）に対して、これに準拠しない画像ファイル名（第２の画像ファイル名）を入力する。そして、第１のディレクトリ名をファイル名とし、第１のディレクトリ名と第２のディレクトリ名との対応と、第１の画像ファイル名と第２の画像ファイル名との対応と、属性情報とを記録した管理ファイル１００を作成する。第２のディレクトリ名、第２の画像ファイル名、属性情報の中から１つ以上を入力して所望の画像ファイルの検索条件を設定し、これを基に所望の画像ファイルを検索する。画像ファイルが検索された場合は画像ファイルの画像と、対応する第２のファイル名とを表示部１５から表示する。【選択図】  図１
2005244614.tif 000002
【特許請求の範囲】
【請求項１】
撮影して得られた画像データを、ＤＣＦ規格に準拠したファイル管理構造で記録媒体に記録する電子カメラ装置において、
前記ＤＣＦ規格に準拠したファイル管理構造で記録されたディレクトリ名である第１のディレクトリ名に対して、前記ＤＣＦ規格に準拠しない形態のディレクトリ名である第２のディレクトリ名を入力するディレクトリ名入力手段と、
前記ＤＣＦ規格に準拠したファイル管理構造で記録された画像ファイル名である第１のファイル名に対して、前記ＤＣＦ規格に準拠しない形態の画像ファイル名である第２の画像ファイル名を入力するファイル名入力手段と、
前記第１のディレクトリ名を記録名称とし、この第１のディレクトリ名とこの第１のディレクトリ名に対応する前記第２のディレクトリ名との対応と、前記第１の画像ファイル名とこの第１の画像ファイル名に対応する前記第２の画像ファイル名との対応と、前記第２の画像ファイル名に対応する属性情報とを前記記録媒体に記録する管理ファイル作成手段と、
前記第２のディレクトリ名、前記第２の画像ファイル名、前記属性情報の中から少なくとも１つを入力することで所望の画像ファイルの検索条件を設定する検索条件設定手段と、
前記検索条件設定手段により設定された検索条件を用いて前記所望の画像ファイルを検索する画像検索手段と、
前記画像検索手段により前記画像ファイルが検索された際に、前記画像ファイルの画像ファイルと、この画像に対応する前記第２のファイル名とを表示する表示手段と、
を具備することを特徴する電子カメラ装置。
【請求項２】
前記属性情報は、前記画像ファイルの撮影日、コメント、撮影感度、シャッター速度、絞り値であることを特徴とする請求項１に記載の電子カメラ装置。
【請求項３】
前記表示手段は、検索された前記画像ファイルに対応する前記属性情報をも表示することを特徴する請求項１に記載の電子カメラ装置。
【請求項４】
前記検索手段は、カレンダーを表示し、このカレンダーの日付表示から少なくとも１つの前記日付表示を選択し、この選択された前記日付表示と対応する撮影日を前記属性情報として有した前記画像ファイルを検索することを特徴とする請求項１に記載の電子カメラ装置。
【請求項５】
撮影して得られた画像データを、ＤＣＦ規格に準拠したファイル管理構造で記録された記録媒体において、
前記ＤＣＦ規格に準拠したファイル管理構造で記録されたディレクトリ名である第１のディレクトリ名を記録名称とし、
この第１のディレクトリ名と、この第１のディレクトリ名に対応し、前記ＤＣＦ規格に規定されない形態のディレクトリ名である第２のディレクトリ名との対応と、
ＤＣＦ規格に準拠したファイル管理構造で記録された画像ファイル名である第１の画像ファイル名と、この第１の画像ファイル名に対応し、前記ＤＣＦ規格に規定されない形態の画像ファイル名である第２の画像ファイル名との対応と、
前記第２の画像ファイル名に対応する撮影日、コメント、撮影感度、シャッター速度、絞り値の情報である属性情報の中から少なくとも１つの属性情報と、
が記録された記録媒体。
【発明の詳細な説明】
【技術分野】
【０００１】
この発明は、ＤＣＦ（Ｄｅｓｉｇｎ  ｒｕｌｅ  ｆｏｒ  Ｃａｍｅｒａ  Ｆｉｌｅ  ｓｙｓｔｅｍ）規格に準拠した電子カメラ装置に係り、特に当該電子カメラ装置で撮影された画像データの検索機能を有する電子カメラ装置に関する。
【背景技術】
【０００２】
ＤＣＦ規格に準拠した電子カメラ装置は、撮影して得られた画像データを記録媒体に保存する際に、カメラファイルシステム規格であるＤＣＦ  Ｖｅｒ１．０により取り決められた内容を有する構造でファイル管理を行なっている。
【０００３】
このＤＣＦ規格では、データ記録時のファイル名称や、そのファイルを保持するディレクトリ（フォルダ）の名称ならびに保存場所等について、約束事項が細かく規定されている。例えば、従来のＤＣＦの規格におけるファイルの区別は、ディレクトリの場合は３桁、ファイルの場合は４桁の数字だけでその区別を行っている。
【０００４】
このようなＤＣＦ規格に基づくファイル管理構造は、電子カメラ装置側自身が記録されたデータ群を管理する上では非常に便利である。
【０００５】
しかし、ユーザ側から見た場合、記録したデータ群に対して、ユーザが任意のファイル名を付けることが許されていないとともに、管理を行なう上で重要な構成となるディレクトリに対しても、ユーザが任意の名称を付けることが許されていないため、取り扱いが不便になるという問題が生じている。特に、ＤＣＦ規格対応の電子カメラ装置に接続される記録媒体の容量は、年々増加の一途をたどっており、将来的に、無線技術を用いることによって、記録媒体がＰＣ（Ｐｅｒｓｏｎａｌ  Ｃｏｍｐｕｔｅｒ）サーバのハードディスクそのものになる等、大容量の記録媒体に画像を直接記録・保存するようになった場合、上記問題は顕著となる。
【０００６】
この問題を解決するために、ＤＣＦ規格に準拠した既存のファイル管理構造との互換性を維持した上で、ユーザが任意のファイル名やディレクトリ名を付けることを可能として、ファイル管理におけるユーザの利便性を効果的に向上させ得る電子カメラ装置及びファイル管理方法が提案されている（例えば特許文献１参照）。
【特許文献１】特開２００２−１４２１８５号公報（第７頁、図４参照）
【発明の開示】
【発明が解決しようとする課題】
【０００７】
上述のように、ＤＣＦ規格に準拠した既存のファイル管理構造との互換性を維持した上で、ユーザが任意のファイル名やディレクトリ名を付けることを可能としたファイル管理方法が提案されている。
【０００８】
しかしながら、ディレクトリ名やファイル名をだけを基にして数多くの画像データからユーザが希望する画像データを選択するのは難しい場合が多い。
【０００９】
即ち、電子カメラ装置に取り付けられる記録媒体の容量が増えるに伴い、そこに記録されるディレクトリの数や画像データの数は、人間が明確に記憶していられる数をはるかに上回り、撮影して記録したことさえも忘れてしまう場合も想定される。
【００１０】
そこで、本発明は上記問題に鑑みてなされたもので、ＤＣＦ規格に準拠した既存のファイル管理構造との互換性を維持した上で、ユーザが任意のファイル名やディレクトリ名を付けることを可能とし、更に、撮影後の画像ファイルからユーザが任意の画像を検索しやすいようにコメント、撮影感度等の属性情報をも管理し、ユーザに理解しやすい表示を可能とし、結果として検索時間を短縮することができる電子カメラ装置を提供することを目的とする。
【課題を解決するための手段】
【００１１】
上記目的を達成するために、本発明に係る電子カメラ装置は、撮影して得られた画像データを、ＤＣＦ規格に準拠したファイル管理構造で記録媒体に記録する電子カメラ装置において、前記ＤＣＦ規格に準拠したファイル管理構造で記録されたディレクトリ名である第１のディレクトリ名に対して、前記ＤＣＦ規格に準拠しない形態のディレクトリ名である第２のディレクトリ名を入力するディレクトリ名入力手段と、前記ＤＣＦ規格に準拠したファイル管理構造で記録された画像ファイル名である第１のファイル名に対して、前記ＤＣＦ規格に準拠しない形態の画像ファイル名である第２の画像ファイル名を入力するファイル名入力手段と、前記第１のディレクトリ名を記録名称とし、この第１のディレクトリ名とこの第１のディレクトリ名に対応する前記第２のディレクトリ名との対応と、前記第１の画像ファイル名とこの第１の画像ファイル名に対応する前記第２の画像ファイル名との対応と、前記第２の画像ファイル名に対応する属性情報とを前記記録媒体に記録する管理ファイル作成手段と、前記第２のディレクトリ名、前記第２の画像ファイル名、前記属性情報の中から少なくとも１つを入力することで所望の画像ファイルの検索条件を設定する検索条件設定手段と、前記検索条件設定手段により設定された検索条件を用いて前記所望の画像ファイルを検索する画像検索手段と、前記画像検索手段により前記画像ファイルが検索された際に、前記画像ファイルの画像ファイルと、この画像に対応する前記第２のファイル名とを表示する表示手段と、を具備することを特徴としている。
【００１２】
また、本発明の記録媒体は、撮影して得られた画像データを、ＤＣＦ規格に準拠したファイル管理構造で記録された記録媒体において、前記ＤＣＦ規格に準拠したファイル管理構造で記録されたディレクトリ名である第１のディレクトリ名を記録名称とし、この第１のディレクトリ名と、この第１のディレクトリ名に対応し、前記ＤＣＦ規格に規定されない形態のディレクトリ名である第２のディレクトリ名との対応と、ＤＣＦ規格に準拠したファイル管理構造で記録された画像ファイル名である第１の画像ファイル名と、この第１の画像ファイル名に対応し、前記ＤＣＦ規格に規定されない形態の画像ファイル名である第２の画像ファイル名との対応と、前記第２の画像ファイル名に対応する撮影日、コメント、撮影感度、シャッター速度、絞り値の情報である属性情報の中から少なくとも１つの属性情報とが記録されたことを特徴としている。
【発明の効果】
【００１３】
ユーザに理解しやすい表示を可能とし、結果として検索時間を短縮することができる。
【発明を実施するための最良の形態】
【００１４】
以下に、本発明による電子カメラ装置の第１の実施の形態を図１乃至図９を参照して説明する。図１は本発明による電子カメラ装置の実施の形態を示すブロック図である。この電子カメラ装置１は、撮像部１０と、制御部１１と、記憶部１２と、操作部１４と、表示部１５とを主たる構成要素としている。また、撮像部１０と、記憶部１２と、操作部１４と、表示部１５は、それぞれ制御部１１と接続されている。
【００１５】
次に、各要素の構成を説明する。
【００１６】
撮像部１０は、撮影された被写体の光学像を電気的な画像信号に変換する。この撮像部１０から出力された画像信号は、ＣＰＵ（Ｃｅｎｔｒａｌ  Ｐｒｏｃｅｓｓｉｎｇ  Ｕｎｉｔ）を内蔵した制御部１１に供給される。
【００１７】
制御部１１は、記憶部１２の記憶領域及び格納されたプログラムを利用して、入力された画像信号に所定の信号処理を施した後、電子カメラ装置１に対して着脱自在な記録媒体１３に、ＤＣＦ規格に対応したファイル管理構造で保存している。
【００１８】
また、制御部１１は、操作部１４及び表示部１５を介してユーザにより入力設定された任意のファイル名を、後述する拡張子「ＸＭＬ」を有する管理ファイル１００として、記録媒体１３に書き込む機能を有している。
【００１９】
ここで、記録媒体１３に書き込まれた拡張子「ＸＭＬ」を有する管理ファイル１００は、記録媒体１３から読み出されて制御部１１のＣＰＵにより解析される。
【００２０】
尚、管理ファイル１００そのもののファイル名称や管理ファイル１００内の記述に２バイト文字が使われている場合、制御部１１は、図示せぬ漢字ＲＯＭ（Ｒｅａｄ  Ｏｎｌｙ  Ｍｅｍｏｒｙ）から該当する文字コードを読み出し、操作部１４及び表示部１５に対して画像データとともに、ファイル名及びディレクトリ名等も表示させる。
【００２１】
次に、本発明の適用されるファイル管理構造の基本例について説明する。図２は、本発明のファイルの管理構造の基本例を示した図である。図２において、管理ファイル１００以外の部分はＤＣＦ規格に準拠した構成となっている。
【００２２】
即ち、記録媒体１３のルートディレクトリの直下には、ＤＣＩＭというディレクトリが存在する。撮影されたデータは、このディレクトリ内に、「１００ＴＯＳＨＩ」のように、頭３桁の数字（１００〜９９９）と、開発元が独自にＤＯＳ（Ｄｉｓｋ  Ｏｐｅｒａｔｉｏｎｇ  Ｓｙｓｔｅｍ）で使用可能な後ろの５文字で構成されたディレクトリが作成され、その中にＰＤＲ＿０００１．ＪＰＧのように、開発元が独自にＤＯＳで使用可能な頭４文字と４桁の数字（０００１〜９９９９）で構成されたファイルとして保存される。これはＤＣＦの規格で決められている事柄であり、異なるメーカー間で静止画が正しく再生できるのは、この取り決めが遵守されているからである。
【００２３】
一方、管理ファイル１００は、上記ＤＣＦ規格とは独立した形で存在し、本実施例では、１つのディレクトリに対して、１つの管理ファイル１００が存在している。
【００２４】
即ち、「１００ＴＯＳＨＩ」なるディレクトリに対応して「１００ＴＯＳＨＩ．ＸＭＬ」という管理ファイル１００が存在し、以下、「１０１ＴＯＳＨＩ」に対応して「１０１ＴＯＳＨＩ．ＸＭＬ」なる管理ファイル１００、「１０２ＴＯＳＨＩ」に対応して「１０２ＴＯＳＨＩ．ＸＭＬ」なる管理ファイル１００が存在する。尚、電子カメラ装置側の処理性能によっては、複数のディレクトリを１つの管理ファイル１００で管理するようにしても良い。
【００２５】
また、この管理ファイル１００は、ファイル名が対応するディレクトリと同じ名前を有し、かつ、ＸＭＬ（ｅＸｔｅｎｓｉｂｌｅ  Ｍａｒｋｕｐ  Ｌａｎｇｕａｇｅ）の記述に従うため、拡張子名は「ＸＭＬ」であることを特徴としている。
【００２６】
図３は管理ファイル１００の記述形式の例を示した図である。ここでは、図２で示した「１００ＴＯＳＨＩ．ＸＭＬ」のファイルの記述を示したものである。管理ファイル１００は、大きく分けると、ディレクトリ名情報、画像ファイル名情報、属性情報の３つの情報から成り立っている。
【００２７】
ここで、ディレクトリ名情報とは、管理ファイル１００が管理しているディレクトリの名前を示している部分である。ここでは、ユーザにより“旅行”というディレクトリ名が指定されているため、ＤＣＦ規格に準拠した「１００ＴＯＳＨＩ」なるディレクトリ名は、ユーザに対しては表示部１５を介して“旅行”というディレクトリ名で表示することとなる。
【００２８】
一方、画像ファイル名情報とは、管理ファイル１００が管理している画像ファイルの名前を示している部分である。ここでは、ユーザにより、「ＰＤＲ＿０００１．ＪＰＧ」、「ＰＤＲ＿０００２．ＪＰＧ」、「ＰＤＲ＿０００３．ＪＰＧ」、「ＰＤＲ＿０００４．ＪＰＧ」のファイル名は、それぞれ、“ビーチ”、“ホテル”、“Ｃｈａｔｈｅｒｉｎｅさん”、“空港”なるファイル名が指定されているため、ＤＣＦ規格に準拠した「ＰＤＲ＿０００１．ＪＰＧ」なるファイル名は、ユーザに対しては表示部１５を介して“ビーチ”というファイル名で表示さて、同様に、「ＰＤＲ＿０００２．ＪＰＧ」は“ホテル”、「ＰＤＲ＿０００３．ＪＰＧ」は“Ｃｈａｔｈｅｒｉｎｅさん”、「ＰＤＲ＿０００４．ＪＰＧ」は“空港”というファイル名で表示されることとなる。
【００２９】
更に、属性情報とは、画像ファイルの属性を管理している部分である。即ち、画像データの撮影日、コメント、撮影感度、シャッター速度、絞り値等の属性情報を記録している部分であり、後述する画像ファイルを検索する際の検索条件として用いられるものである。図３では、「ＰＤＲ＿０００１．ＪＰＧ」なる画像ファイルは、２００３年１月１日に撮影され、コメントが、“サイコー！”、感度が“４００”、シャッター速度が“１／３０”、絞り値が“１１”というデータが管理されている。
【００３０】
次に、電子カメラ装置１を用いて実際にディレクトリの表示をさせた場合の説明をする。図４は、本発明の実施の形態に係る電子カメラ装置１におけるディレクトリ表示をする場合の流れ図である。ここでは、図２に示すように、ＤＣＦ規格に準拠したディレクトリが「１００ＴＯＳＨＩ」〜「１０３ＴＯＳＨＩ」まで４つ存在し、それぞれに対応する管理ファイル１００が「１００ＴＯＳＨＩ．ＸＭＬ」〜「１０３ＴＯＳＨＩ．ＸＭＬ」の４つで管理しており、それぞれのディレクトリ名がユーザにより“旅行”、“公園”、“会議”、“イベント”というディレクトリ名が指定されているとする。
【００３１】
まず、電子カメラ装置１は、操作部１４を介してユーザにより、記録媒体１３に記録されているディレクトリ表示の要求があるかを確認する（ステップＳ１００）。これにより、この要求が無い場合は（ステップＳ１００のＮｏ）、本要求があるまでこの判断を続けることとなる。
【００３２】
一方、ディレクトリの表示要求があった場合には（ステップＳ１００のＹｅｓ）、制御部１１は、記録媒体１３に管理ファイル１００が存在するかを確認する（ステップＳ１０１）。
【００３３】
その結果、制御部１１は記録媒体１３に管理ファイル１００が存在しないと判断した場合には（ステップＳ１０１のＮｏ）、表示部１５にディレクトリが存在しない旨を表示する（ステップＳ１１０）。一方、制御部１１は記録媒体１３に管理ファイル１００が存在すると判断した場合には（ステップＳ１０１のＹｅｓ）、次に、管理ファイル１００毎に対応するディレクトリが存在するかを確認する（ステップＳ１０２）。
【００３４】
本実施例では、まず、「１００ＴＯＳＨＩ．ＸＭＬ」の存在を確認したとすると、この管理ファイル１００の記述から「１００ＴＯＳＨＩ＝旅行」を確認する。従って、制御部１１は、「１００ＴＯＳＨＩ」なるディレクトリ名はユーザにより“旅行”という名前がつけられていることを確認し、これを記憶部１２に記憶する。そして、ＤＣＩＭディレクトリの直下に「１００ＴＯＳＨＩ」なるディレクトリが実際に存在するかの確認を行う。
【００３５】
このような確認を「１０１ＴＯＳＨＩ．ＸＭＬ」〜「１０３ＴＯＳＨＩ．ＸＭＬ」についても同様に行う。
【００３６】
次に、各管理ファイル１００に対応する各ディレクトリ毎に、記録媒体１３からディレクトリ表示のための１つの画像ファイルを検索する（ステップＳ１０３）。例えば、図２に示すように、「旅行」に対応する「１００ＴＯＳＨＩ」なるディレクトリには、画像ファイルがＰＤＲ＿０００１．ＪＰＧ〜ＰＤＲ＿０００４．ＪＰＧまで存在するが、この中から一番初めに検索される画像ファイル（ここでは「ＰＤＲ＿０００１．ＪＰＧ」とする）を記憶部１２に記憶する。この処理は各ディレクトリ毎に行う。
【００３７】
次に、制御部１１は、記憶部１２に記憶した情報を元に表示部１５にディレクトリの表示を行う（ステップＳ１０４）。このディレクトリの表示は、例えば、図５（ｂ）に示すように、ディレクトリの外形を現す形状の中に、ステップＳ１０３で記憶した画像ファイルのイメージ図を重畳し、その横に対応するディレクトリ名をユーザが指定したディレクトリ名で表示する形式をとる。
【００３８】
このように、電子カメラ装置１が図４のような制御を行うことにより、従来では図５（ａ）に示すように、ディレクトリ表示の際には、表示部１５からはＤＣＦ規格に準拠したディレクトリ名しか表示できなかったが、図５（ｂ）に示すようにユーザ指定した任意のディレクトリ名でディレクトリ表示ができる。従って、ユーザに理解しやすい表示を可能とし、結果として検索時間を短縮することができる。
【００３９】
次に、電子カメラ装置１を用いてディレクトリ毎に管理されている画像データであるファイルの表示について説明をする。図６は、本発明の実施の形態に係る電子カメラ装置１におけるファイル表示をする場合の流れ図である。ここでは、図３で示したようにユーザにより、「ＰＤＲ＿０００１．ＪＰＧ」、「ＰＤＲ＿０００２．ＪＰＧ」、「ＰＤＲ＿０００３．ＪＰＧ」、「ＰＤＲ＿０００４．ＪＰＧ」なるＤＣＦ規格に準拠したファイル名が、管理ファイル１００によりそれぞれ“ビーチ”、“ホテル”、“Ｃｈａｔｈｅｒｉｎｅさん”、“空港”なるファイル名で指定されているとする。
【００４０】
まず、電子カメラ装置１において、図４で示したようにディレクトリの表示をさせる（ステップＳ２００）。本実施例では、表示部１５を介して図５（ｂ）のような表示がされることとなる。
【００４１】
次に、ユーザにより、希望するディレクトリの選択が行われたかを確認する（ステップＳ２０１）。この選択は、例えば図５（ｂ）で示したディレクトリ選択ボタン（もしくはアイコンでもよい）を操作することにより、表示部１５上に表示されているディレクトリにディレクトリ選択ボタンを移動させ、決定ボタンを押すことで、選択されたディレクトリが管理するファイルの検索を行う。この確認により、ディレクトリ選択が行われていないと判断した場合には（ステップＳ２０１のＮｏ）、この選択が行われるまで前記確認を継続することとなる。
【００４２】
一方、ディレクトリの選択が行われたと判断した場合には（ステップＳ２０１のＹｅｓ）、次に、制御部１１は、選択されたディレクトリの管理ファイル１００の記述を確認し、画像ファイル名が存在するかを確認する（ステップＳ２０２）。
【００４３】
この確認により、制御部１１が検索した管理ファイル１００の中に画像ファイル名が無いと判断した場合には（ステップＳ２０２のＮｏ）、表示部１５に画像ファイルが存在しない旨を表示する（ステップＳ２１０）。一方、制御部１１は管理ファイル１００の中に画像ファイル名が存在すると判断した場合には（ステップＳ２０２のＹｅｓ）、次に、画像ファイル名毎に対応するＤＣＦ規格に準拠したファイル名を持つ画像ファイルが実際に存在するかを確認する（ステップＳ２０３）。
【００４４】
本実施例では、まず、ユーザにより「ビーチ」と名づけられた画像ファイルの存在を確認するため、「ビーチ」に対応するＤＣＦ規格に準拠したファイル名である「ＰＤＲ＿００１．ＪＰＧ」なる画像ファイルが存在するかを確認する。この確認は、ディレクトリ名として「旅行」と名づけられたディレクトリに対応するＤＣＦ規格に準拠したディレクトリ名である「１００ＴＯＳＨＩ」の中から検索することとなる。
【００４５】
この結果、制御部１１が「１００ＴＯＳＨＩ」なるディレクトリの中に「ＰＤＲ＿００１．ＪＰＧ」なる画像ファイルを確認できなかった場合には（ステップＳ２０３のＮｏ）次の画像ファイルについてステップＳ２０３の処理を行う。一方、画像ファイルの確認ができた場合には（ステップＳ２０３のＹｅｓ）、確認できた画像ファイルの画像を記憶部１２に記憶する（ステップＳ２０４）。
【００４６】
次に制御部１１は、ディレクトリ内に、画像ファイルが更に存在するかを確認する（ステップＳ２０５）。この結果、画像ファイルが存在すると判断した場合には（ステップＳ２０５のＹｅｓ）、ステップＳ２０３に戻り上記の処理を繰り返す。
【００４７】
一方、画像ファイルがこれ以上存在しないと判断した場合には（ステップＳ２０５のＮｏ）、制御部１１は、記憶部１２に記憶した情報を元に表示部１５に画像ファイルの表示を行う（ステップＳ２０６）。この画像ファイルの表示は、例えば、図７（ｂ）に示すように、検索できた画像ファイルのイメージを表示させ、その横に対応するファイル名をＤＣＦ規格に準拠したファイル名ではなく、ユーザが指定したファイル名で表示する形式をとる。また、図７（ｂ）に示すように、ファイル名と並列に例えば撮影日のような管理ファイル１００で管理している属性情報を表示してもよい。更に、表示する画像が動画ファイルの場合には、例えば一番初めに再生するコマの画像を表示させ、例えば、図７（ｂ）に示すように動画ファイルであること示すビデオ撮影機の形状のマークを表示させても良い。
【００４８】
このように、従来では図７（ａ）に示すように、画像ファイルの表示の際には、表示部１５からはＤＣＦ規格に準拠したディレクトリ名しか表示できなかったものの、電子カメラ装置１が図６のような制御を行うことにより、図７（ｂ）に示すようにユーザ指定した任意のファイル名での表示が可能となる。従って、ユーザに理解しやすい表示を可能とし、結果として検索時間を短縮することができる。
【００４９】
次に、属性情報を用いて任意の画像ファイルを検索表示させた場合を説明する。図８は、本発明の実施の形態に係る電子カメラ装置１における属性情報を用いて検索表示する場合の流れ図である。ここでは、上述と同様、図２及び図３の例を用いて説明する。
【００５０】
まず、電子カメラ装置１は、操作部１４を介してユーザにより、記録媒体１３に記録されている画像ファイルの検索の要求があるかを確認する（ステップＳ３００）。この確認により、制御部１１が画像ファイル検索の要求が無いと判断した場合は（ステップＳ３００のＮｏ）、この要求があるまでこの判断を続けることとなる。
【００５１】
一方、制御部１１がファイル検索の要求があると判断した場合には（ステップＳ３００のＹｅｓ）、制御部１１は、表示部１５を介して画像ファイルを検索するための条件設定メニューを表示させる（ステップＳ３０１）。この処理により、例えば図９（ａ）に示すような検索条件設定メニューが表示されることとなる。
【００５２】
次に、制御部１１はユーザにより前記条件設定メニューに検索のキーワードとなる属性情報の入力があるか否かを確認する（ステップＳ３０２）。即ち、表示部１５から条件設定メニューが表示された時点で、ユーザは、検索を希望するファイルにおいて属性情報の入力が可能となり、電子カメラ装置１に対し検索条件設定メニューの該当する部分に属性情報を入力することとなる。
【００５３】
例えば、「ビーチ」なる画像ファイルを検索する場合には、ファイル名に「ビーチ」を記入することもできるし、当該ファイル名を忘れていた場合でも、収めたディレクトリ名やその他の属性情報が分かっていれば、それを記入することが可能である。
【００５４】
その結果、検索のための属性情報が入力されていることを確認できなかった場合には（ステップＳ３０２のＮｏ）、この入力があるまで上記確認を継続することとなる。一方、制御部１１が属性情報の入力を確認できた場合には（ステップＳ３０２のＹｅｓ）、入力された情報を基に、記録媒体１３の中から指定された画像ファイルを検索する（ステップＳ３０３）。
【００５５】
次に、指定された画像ファイルが検索できたか否かを判断する（ステップＳ３０４）。
【００５６】
この結果、制御部１１が記録媒体１３の中から指定された画像ファイルが検索できなかった場合には（ステップＳ３０４のＮｏ）、表示部１５を介してファイルが検索できなかった旨を表示する（ステップＳ３１０）。一方、指定された画像ファイルが検索できた場合には（ステップＳ３０４のＹｅｓ）、次の処理を行い画像を表示させる。
【００５７】
即ち、まず、制御部１１は当該画像ファイルを記憶部１２に記憶し、更に、管理ファイル１００の記述を参照してユーザに指定された当該ファイルのファイル名を記憶部１２に記憶する。そして画像ファイルのイメージと画像ファイルのファイル名とを表示部１５を介して表示する（ステップＳ３０５）。
【００５８】
とろろで、属性情報の入力の仕方によっては、検索できたファイルが１つに限定されず、複数になる場合も想定される。その場合は、例えば、図７（ｂ）に示すように、複数の画像を並列に表示しても良い。
【００５９】
このように、電子カメラ装置１が図８のような制御を行うことにより、撮影された画像データの中から必要な画像データを、画像表示からだけでなく、ディレクトリ名、ファイル名、その画像の属性情報を基にして検索することができる。従ってユーザに理解しやすい表示を可能とし、結果として検索時間を短縮することができる。
【００６０】
尚、上記条件設定メニューは、日付検索のように頻繁に検索条件として用いられるものは、図９（ｂ）の日付検索メニューのように別途検索メニューを設けても良い。例えば、２００４年２月１７日に撮影した画像を全て表示させたい場合は、図９（ｂ）に示すように、検索する日付を項目選択ボタンで選択して、決定を押すことで検索が開始するようなメニュー構成としても良い。
【図面の簡単な説明】
【００６１】
【図１】本発明による電子カメラ装置の実施の形態を示すブロック図。
【図２】本発明のファイルの管理構造の基本例を示した図。
【図３】管理ファイル１００の記述形式の例を示した図。
【図４】本発明の実施の形態に係る電子カメラ装置１におけるディレクトリ表示をする場合の流れ図。
【図５】表示部１５にディレクトリ名を表示させた場合の図。
【図６】本発明の実施の形態に係る電子カメラ装置１における画像ファイル表示をする場合の流れ図。
【図７】表示部１５にファイル名を表示させた場合の図。
【図８】本発明の実施の形態に係る電子カメラ装置１における属性情報を用いて検索表示する場合の流れ図  。
【図９】表示部１５に条件設定メニューを表示させた場合の図。
【符号の説明】
【００６２】
１  電子カメラ装置
１０  撮像部
１１  制御部
１２  記憶部
１３  記録媒体
１４  操作部
１５  表示部
１００  管理ファイル
【図１】
2005244614.tif 000003
【図２】
2005244614.tif 000004
【図３】
2005244614.tif 000005
【図４】
2005244614.tif 000006
【図５】
2005244614.tif 000007
【図６】
2005244614.tif 000008
【図７】
2005244614.tif 000009
【図８】
2005244614.tif 000010
【図９】
2005244614.tif 000011